(57)【要約】【課題】通常運転時における蒸発器への着霜量を低減させて、収容庫の内部を良好に冷却することができる冷却装置を提供すること。【解決手段】通常運転時に収容庫１０の内部温度に基づいて電子膨張弁１３の開度を調節し、収容庫１０に配設した蒸発器１２に対する冷媒の供給制御を行うことにより該収容庫１０を所望の温度状態にする冷却装置において、通常運転時に予め設定された条件を満足する場合に、電子膨張弁１３の開度を予め決められた基準値以下に縮小させて蒸発器１２の過熱度を大きくする着霜低減制御を行うコントローラ３０を備えている。また、収容庫１０の外部雰囲気の温湿度を検出する温湿度センサ２４を備え、コントローラ３０は、温湿度センサ２４により検出された温湿度が予め設定された基準温湿度を超える場合に着霜低減制御を行うことが好ましい。【選択図】        図１
2008209016.tif 000002
【特許請求の範囲】
【請求項１】
通常運転時に収容庫の内部温度に基づいて電子膨張弁の開度を調節し、前記収容庫に配設した蒸発器に対する冷媒の供給制御を行うことにより該収容庫を所望の温度状態にする冷却装置において、
前記通常運転時に予め設定された条件を満足する場合に、前記電子膨張弁の開度を予め決められた基準値以下に縮小させて前記蒸発器の過熱度を大きくする着霜低減制御を行う制御手段を備えたことを特徴とする冷却装置。
【請求項２】
前記収容庫の外部雰囲気の温湿度を検出する温湿度検出手段を備え、
前記制御手段は、前記温湿度検出手段により検出された温湿度が予め設定された閾値を超える場合に前記着霜低減制御を行うことを特徴とする請求項１に記載の冷却装置。
【請求項３】
前記蒸発器を構成する冷媒管路の中間部における管表面温度を検出する中間部温度検出手段を備え、
前記制御手段は、前記中間部温度検出手段により検出される温度が０℃以上となる態様で前記着霜低減制御を行うことを特徴とする請求項１または請求項２に記載の冷却装置。
【請求項４】
設定された吸入圧力に従って、前記蒸発器から吐出された冷媒の圧縮を行う圧縮手段を備え、
前記制御手段は、前記着霜低減制御を行う場合に、前記圧縮手段における吸入圧力を低下させる吸入圧力制御を行うことを特徴とする請求項１〜３のいずれか一つに記載の冷却装置。
【発明の詳細な説明】
【技術分野】
【０００１】
本発明は、収容庫の内部温度に基づいて電子膨張弁の開度を調節し、収容庫に配設した蒸発器に対する冷媒の供給制御を行うことにより該収容庫を所望の温度状態にする冷却装置に関するものである。
【背景技術】
【０００２】
例えば、商品を冷却した状態で陳列販売するショーケースでは、収容庫の内部に蒸発器が設けられ、また収容庫の外部に圧縮機、凝縮器および電子膨張弁が設けられており、これら蒸発器、圧縮機、凝縮器および電子膨張弁に冷媒を循環供給することによって収容庫の所望の温度状態に維持する通常運転を行っている。具体的には、収容庫の内部温度が設定温度よりも低くなった場合に電子膨張弁の開度を縮小させる一方、収容庫の内部温度が設定温度よりも高くなった場合に電子膨張弁の開度を増大させて収容庫の内部が所望の温度状態となるようにしている（例えば、特許文献１参照）。かかる冷却装置では、電子膨張弁を用いているために蒸発器へ供給する冷媒流量を細かく制御することが可能で、そのために蒸発温度を高くすることができ、これにより圧縮機の運転負荷を軽減させることができ、省エネルギー化を図ることができるという利点を有している。
【０００３】
【特許文献１】特開２００５−１８０８１５号公報
【発明の開示】
【発明が解決しようとする課題】
【０００４】
ところで、上述したような冷却装置では、上記通常運転時に蒸発器の伝熱面に霜が付着してしまういわゆる着霜現象が生ずるため、１日に例えば４回程度付着した霜を除去する除霜処理を行っている。この除霜処理では、冷媒の循環を停止させて蒸発器の伝熱面の温度を上昇させることにより付着した霜の除去を行うのが一般的である。そして、除霜処理終了後から次の除霜処理が開始されるまでの間に上述した通常運転、すなわち収容庫の内部温度に基づいて電子膨張弁の開度を調節し、蒸発器に対する冷媒の供給制御を行っている。
【０００５】
ところが、例えば収容庫の外部が高温多湿の環境下にある等の場合には、次の除霜処理が開始されるまでの通常運転時に蒸発器の伝熱面全域に着霜現象が発生してしまい、収容庫の内部を良好に冷却することができず、次の除霜処理の開始直前には収容庫の内部温度が非常に高くなってしまう虞れがある。
【０００６】
このような着霜現象の発生を抑制するために、１日に行う除霜処理の回数を増加させることも考えられるが、それでは収容庫内の温度が頻繁に上昇してしまう点や、圧縮機の運転負荷が過大となってしまい、結果的に省エネルギー化を図ることができない点等により好ましいとはいえない。
【０００７】
本発明は、上記実情に鑑みて、通常運転時における蒸発器への着霜量を低減させて、収容庫の内部を良好に冷却することができる冷却装置を提供することを目的とする。
【課題を解決するための手段】
【０００８】
上記目的を達成するため、本発明の請求項１に係る冷却装置は、通常運転時に収容庫の内部温度に基づいて電子膨張弁の開度を調節し、前記収容庫に配設した蒸発器に対する冷媒の供給制御を行うことにより該収容庫を所望の温度状態にする冷却装置において、前記通常運転時に予め設定された条件を満足する場合に、前記電子膨張弁の開度を予め決められた基準値以下に縮小させて前記蒸発器の過熱度を大きくする着霜低減制御を行う制御手段を備えたことを特徴とする。
【０００９】
また、本発明の請求項２に係る冷却装置は、上述した請求項１において、前記収容庫の外部雰囲気の温湿度を検出する温湿度検出手段を備え、前記制御手段は、前記温湿度検出手段により検出された温湿度が予め設定された閾値を超える場合に前記着霜低減制御を行うことを特徴とする。
【００１０】
また、本発明の請求項３に係る冷却装置は、上述した請求項１または請求項２において、前記蒸発器を構成する冷媒管路の中間部における管表面温度を検出する中間部温度検出手段を備え、前記制御手段は、前記中間部温度検出手段により検出される温度が０℃以上となる態様で前記着霜低減制御を行うことを特徴とする。
【００１１】
また、本発明の請求項４に係る冷却装置は、上述した請求項１〜３のいずれか一つにおいて、設定された吸入圧力に従って、前記蒸発器から吐出された冷媒の圧縮を行う圧縮手段を備え、前記制御手段は、前記着霜低減制御を行う場合に、前記圧縮手段における吸入圧力を低下させる吸入圧力制御を行うことを特徴とする。
【発明の効果】
【００１２】
本発明の冷却装置によれば、通常運転時に予め設定された条件を満足する場合に、前記電子膨張弁の開度を予め決められた基準値以下に縮小させて前記蒸発器の過熱度を大きくする着霜低減制御を行うので、冷媒の蒸発完了点を上流側に移行させ、これにより着霜する虞れのある領域を縮小させることになり通常運転時における蒸発器への着霜量を低減させて、収容庫の内部を良好に冷却することができるという効果を奏する。
【発明を実施するための最良の形態】
【００１３】
以下に添付図面を適宜参照しながら、本発明に係る冷却装置の好適な実施の形態について詳細に説明する。
【００１４】
図１は、本発明の実施の形態である冷却装置の構成を概念的に示したものである。ここで例示する冷却装置は、収容庫１０の内部に収納した商品を冷却した状態で陳列販売するオープンショーケース１１に適用するもので、複数のオープンショーケース１１にそれぞれ蒸発器１２および電子膨張弁１３を個別に備える一方、オープンショーケース１１の外部に凝縮器１４および圧縮機（圧縮手段）１５をそれぞれ１つずつ備えている。尚、図１には、説明の便宜上、１つのオープンショーケース１１を示している。
【００１５】
電子膨張弁１３は、凝縮器１４から吐出された液冷媒を断熱膨張して蒸発器１２に供給するものである。本実施の形態では、開度指令が与えられた場合に開度指令に応じて開度を変更し、通過する冷媒の流量を調節することのできる電子膨張弁１３を適用している。圧縮機１５は、蒸発器１２から吐出された低温低圧のガス冷媒を圧縮して高温高圧のガス冷媒として凝縮器１４に与えるものである。
【００１６】
この冷却装置では、凝縮器１４および圧縮機１５に対してそれぞれのオープンショーケース１１に設けた蒸発器１２および電子膨張弁１３を並列となる態様で冷媒供給管路１６で接続することにより冷凍サイクルが構成してある。すなわち、この冷却装置では、圧縮機１５から吐出された高温高圧のガス冷媒が凝縮器１４において冷却されて高温高圧の液冷媒となる。この高温高圧の液冷媒は、電子膨張弁１３により断熱膨張されて低温低圧の気液２相冷媒となり、収容庫１０の蒸発器１２に供給される。蒸発器１２に供給された低温低圧の気液２相冷媒は、図示しない送風ファンによって供給された収容庫１０の内部空気と熱交換し、吸熱して低温低圧のガス冷媒となることにより収容庫１０の冷却を行う。蒸発器１２から吐出された低温低圧のガス冷媒は、圧縮機１５に吸入され、再び高温高圧のガス冷媒となって凝縮器１４に供給される。
【００１７】
オープンショーケース１１において蒸発器１２に接続した冷媒供給管路１６の入口部および出口部には、それぞれ冷媒温度センサ２０，２１が設けてある。入口部冷媒温度センサ２０および出口部冷媒温度センサ２１は、それぞれの冷媒供給管路１６を通過する冷媒の温度を検出するものである。
【００１８】
また蒸発器１２を構成する冷媒管路１２ａの中間部には、中間部温度センサ（中間部温度検出手段）２２が設けてある。中間部温度センサ２２は、冷媒管路１２ａの中間部における管表面温度を検出するものである。
【００１９】
収容庫１０の内部には、内部温度センサ２３が設けてある。内部温度センサ２３は、収容庫１０の内部温度を検出するものである。本実施の形態では、内部温度センサ２３として、収容庫１０の内部において蒸発器１２を通過した後の空気、すなわち吹出空気の温度を収容庫１０の内部温度として検出するものを適用している。ここで、内部温度は、吹出空気の温度ではなく、収容庫１０の内部に設けられる庫内温度センサ（図示せず）により検出される温度としても構わない。
【００２０】
収容庫１０の外部には、温湿度センサ（温湿度検出手段）２４が設けてある。温湿度センサ２４は、収容庫１０の外部雰囲気の温湿度を検出するものである。
【００２１】
上記冷却装置は、その制御系としてコントローラ３０を備えている。コントローラ３０は、設定記憶部３１、状態判断部３２、弁開度制御部３３および吸入圧力設定部３４を備えている。
【００２２】
設定記憶部３１は、収容庫１０の目標温度、後述する着霜低減制御を実施するか否かを決定するための基準温湿度（閾値）、並びに蒸発器１２の冷媒管路１２ａの中間部における管表面温度の基準温度を予め設定し、かつこれらを記憶するものである。本実施の形態では、収容庫１０の目標温度としてその上限値および下限値がそれぞれ設定してある。また、管表面温度の基準温度は、例えば０℃としてある。
【００２３】
状態判断部３２は、温湿度センサ２４により検出された温湿度（検出温湿度）が設定記憶部３１に記憶してある基準温湿度を超える場合に、収容庫１０の外部雰囲気が高温多湿状態にあるものと判断するものである。
【００２４】
弁開度制御部３３は、電子膨張弁１３の開度を制御するものであり、より詳細には、内部温度センサ２３の検出結果と、収容庫１０の目標温度との比較結果に基づいて電子膨張弁１３の開度を制御する一方、状態判断部３２により収容庫１０の外部雰囲気が高温多湿状態であると判断された場合には、電子膨張弁１３の開度を予め決められた基準値以下に縮小させる制御を行うものである。吸入圧力設定部３４は、圧縮機１５の吸入圧力を設定するものである。
【００２５】
図２は、図１に示したコントローラが実施する膨張弁開度制御処理の内容を示すフローチャートである。以下、この図２を参照しながら、冷却装置の動作について説明する。
【００２６】
まず、図２に示す膨張弁開度制御処理においてコントローラ３０は、内部温度センサ２３を通じてそれぞれのオープンショーケース１１における収容庫１０の内部温度を検出し（ステップＳ１０１）、検出した内部温度が設定記憶部３１に記憶された目標温度の上限値を超えているか否かを判断する（ステップＳ１０２）。
【００２７】
いずれかのオープンショーケース１１において収容庫１０の内部温度が目標温度上限値を超えている場合（ステップＳ１０２：Ｙｅｓ）、コントローラ３０は、該当するオープンショーケース１１の電子膨張弁１３を開動作して蒸発器１２に対する冷媒の供給を増大させ（ステップＳ１０３）、その後に手順をリターンさせる。この結果、該当するオープンショーケース１１の収容庫１０が冷却され、その内部温度が目標温度上限値以下となるように推移することになる。
【００２８】
ステップＳ１０２においていずれのオープンショーケース１１においても収容庫１０の内部温度が目標温度上限値以下であった場合（ステップＳ１０２：Ｎｏ）、コントローラ３０は、次いでいずれかのオープンショーケース１１において収容庫１０の内部温度が設定記憶部３１に記憶された目標下限値を下回っているか否かを判断する（ステップＳ１０４）。
【００２９】
いずれかのオープンショーケース１１において収容庫１０の内部温度が目標温度下限値を下回っている場合（ステップＳ１０４：Ｙｅｓ）、コントローラ３０は、該当するオープンショーケース１１の電子膨張弁１３を閉動作して蒸発器１２に対する冷媒の供給を減少させ（ステップＳ１０５）、その後に手順をリターンさせる。この結果、該当するオープンショーケース１１において収容庫１０の内部雰囲気と蒸発器１２との間の熱交換が抑制され、その内部温度が目標下限値以上となるように推移することになる。
【００３０】
ステップＳ１０４においていずれのオープンショーケース１１においても収容庫１０の内部温度が目標温度下限値以上であった場合（ステップＳ１０４：Ｎｏ）、つまり収容庫１０の内部温度が目標温度上限値以下、かつ目標温度下限値以上（以下、「目標温度範囲」という）である場合、コントローラ３０は、電子膨張弁１３の状態を維持して今回の処理を終了し、手順をリターンさせる。
【００３１】
以下、所定のサイクルタイムで膨張弁開度制御処理を繰り返し実施して通常運転を行うことにより、全てのオープンショーケース１１において収容庫１０の内部温度が目標温度範囲に維持されることになる。
【００３２】
但し、この膨張弁開度制御処理では、例えば収容庫１０の外部が高温多湿の環境下にある等の場合には、次の除霜処理が開始されるまでの間に蒸発器１２の伝熱面全域に着霜現象が発生してしまう虞れがある。
【００３３】
そこで、本実施の形態では、次のような着霜低減制御処理を所定のタイミングで実施するようにしている。図３は、図１に示したコントローラが実施する着霜低減制御処理の内容を示すフローチャートである。以下、この図３を参照しながら冷却装置の動作についてさらに説明する。
【００３４】
図３に示す着霜低減制御処理においてコントローラ３０は、まず温湿度センサ２４を通じて収容庫１０の外部雰囲気の温湿度（外部温湿度）を検出し（ステップＳ２０１）、状態判断部３２を通じて検出した温湿度（検出温湿度）が設定記憶部３１に記憶された基準温湿度を超えているか否かを判断する（ステップＳ２０２）。
【００３５】
検出温湿度が基準温湿度を超えていない場合（ステップＳ２０２：Ｎｏ）、コントローラ３０は、後述する処理を実施することなく今回の処理を収容して手順をリターンさせる。
【００３６】
一方、検出温湿度が基準温湿度を超えている場合（ステップＳ２０２：Ｙｅｓ）、コントローラ３０は、弁開度制御部３３を通じて電子膨張弁１３を閉動作させて開度を縮小させる（ステップＳ２０３）。これにより、出口部冷媒温度センサ２１で検出される冷媒温度と、入口部冷媒温度センサ２０で検出される冷媒温度との差として定義される蒸発器１２の過熱度は大きくなる。その後、コントローラ３０は、中間部温度センサ２２を通じて蒸発器１２の冷媒管路１２ａの中間部における管表面温度を検出し（ステップＳ２０４）、検出した管表面温度（検出温度）が０℃以上となるか否かを判断する（ステップＳ２０５）。検出した管表面温度が０℃以上とならない場合、すなわち検出した管表面温度が０℃未満の場合（ステップＳ２０５：Ｎｏ）、コントローラ３０は、上記ステップＳ２０３の処理を実施、すなわち電子膨張弁１３をさらに閉動作させて開度を縮小させる。つまり、コントローラ３０は、ステップＳ２０５で管表面温度が０℃以上となるまでステップＳ２０３〜ステップＳ２０５の処理を繰り返し実施する。
【００３７】
検出した管表面温度が０℃以上となる場合（ステップＳ２０５：Ｙｅｓ）、コントローラ３０は、その時点における電子膨張弁１３の開度を維持して（ステップＳ２０６）、今回の処理を終了して手順をリターンさせる。この結果、蒸発器１２の冷媒管路１２ａにおける冷媒の蒸発完了点は、中間部温度センサ２２の設置位置よりも上流側となり、該中間部温度センサ２２の設置位置より下流側の冷媒管路１２ａは、表面温度が０℃以上となって霜が付着する虞れがない。つまり、着霜する虞れのある領域を縮小させることができる。
【００３８】
また、上記冷却装置では、上述した着霜低減制御処理を実施する際に、これと並行して以下の処理を実施することが好ましい。すなわち、コントローラ３０が上記ステップＳ２０３〜ステップＳ２０５の処理を実施する際に、該コントローラ３０は、吸入圧力設定部３４を通じて圧縮機１５の吸入圧力を低下させる吸入圧力制御を実施する。これにより、蒸発器１２における冷媒の蒸発温度を低下させることができる。
【００３９】
以上説明したように本発明の実施の形態における冷却装置によれば、電子膨張弁１３の開度を縮小させて蒸発器１２の過熱度を大きくし、着霜する虞れのある領域を縮小させるので、通常運転時における蒸発器１２への着霜量を低減させて、収容庫１０の内部を良好に冷却することができる。特に、除霜処理を必要回数以上実施することがないので、省エネルギー化を図ることもできる。
【００４０】
また、上記冷却装置によれば、必要に応じて吸入圧力制御を実施することにより蒸発器１２における冷媒の蒸発温度を低下させるので、上述したように冷媒の蒸発完了点を中間部温度センサ２２の設置位置よりも上流側にしても収容庫１０の内部の冷却能力に優れたものとなる。
【００４１】
以上、本発明の好適な実施の形態について説明したが、本発明はこれに限定されるものではなく、種々の変更を行うことができる。例えば、上述した実施の形態では、温湿度センサ２４により検出される温湿度が基準温湿度を超える場合に収容庫１０の外部雰囲気が高温多湿状態にあるものとして着霜低減させるための制御を実施したが、本発明では、収容庫の外部雰囲気の状態を基準にするのではなく、通常運転中に予め決められた条件を満足する場合に着霜低減制御を実施しても構わない。
【００４２】
また、上述した実施の形態では、中間部温度センサ２２の検出する管表面温度が０℃以上となる態様で電子膨張弁１３の開度を縮小させたが、本発明では、予め実験的に求めた基準値以下となる態様で電子膨張弁の開度を縮小させても構わない。
【産業上の利用可能性】
【００４３】
以上のように、本発明に係る冷却装置は、オープンショーケースの収容庫の冷却に有用である。
【図面の簡単な説明】
【００４４】
【図１】本発明の実施の形態である冷却装置の構成を概念的に示した概念図である。
【図２】図１に示したコントローラが実施する膨張弁開度制御処理の内容を示すフローチャートである。
【図３】図１に示したコントローラが実施する着霜低減制御処理の内容を示すフローチャートである。
【符号の説明】
【００４５】
１０      収容庫
１１      オープンショーケース
１２      蒸発器
１３      電子膨張弁
１４      凝縮器
１５      圧縮機
１６      冷媒供給管路
２０      入口部冷媒温度センサ
２１      出口部冷媒温度センサ
２２      中間部温度センサ
２３      内部温度センサ
２４      温湿度センサ
３０      コントローラ
３１      設定記憶部
３２      状態判断部
３３      弁開度制御部
３４      吸入圧力設定部
【図１】
2008209016.tif 000003
【図２】
2008209016.tif 000004
【図３】
2008209016.tif 000005